(57)【要約】【課題】  帳票印刷時に印刷すべきドットパターンのドット径サイズを補正して、電子ペンが正常にドットパターンを読み取り可能な帳票を印刷することである。【解決手段】  電子ペン１０から取得される情報を通信により取得して処理可能なデータ処理システムにおいて、電子ペン１０が可読できるドットサイズをデータベース１０８に記憶する。そして、帳票システム１０６が帳票システム１０５からドットサイズを取得し、該取得されたドットサイズに基づいて、ドットパターンが配置される帳票を印刷する印刷データを生成する。そして、生成された印刷データに基づいて印刷された帳票中のドットパターンを電子ペン１０が読み取って認識されるドット情報に基づいて、記憶されているドットサイズを補正する構成を特徴とする。【選択図】  図１
2007279961.tif 000002
【特許請求の範囲】
【請求項１】
電子ペンから取得される情報を通信により取得して処理可能なデータ処理装置であって、
前記電子ペンが可読できるドットサイズを記憶する記憶手段と、
前記記憶手段によって記憶されたドットサイズに基づいて、ドットパターンが配置される帳票を印刷する印刷データを生成する生成手段と、
前記生成手段により生成された印刷データに基づいて印刷された帳票中のドットパターンを前記電子ペンが読み取り、該読み取り得られたドット情報を取得する取得手段と、
前記取得手段によって取得されたドット情報に基づき、前記記憶手段に記憶されているドットサイズを補正する補正手段と、
を有することを特徴とするデータ処理装置。
【請求項２】
電子ペンから取得される情報を通信により取得して処理可能なデータ処理装置であって、
前記電子ペンが可読できるドットサイズを記憶する記憶手段と、
前記記憶手段によって記憶されたドットサイズに基づいて、ドットパターンが配置される帳票を印刷する印刷データを生成する生成手段と、
前記生成手段により生成された印刷データに基づいて印刷装置が帳票を印刷する場合、印刷した帳票中のドットサイズの情報を前記印刷装置から取得する取得手段と、
前記取得手段により取得されたドット情報に基づき、前記記憶手段に記憶されているドットサイズを補正する補正手段と、
を有することを特徴とするデータ処理装置。
【請求項３】
前記電子ペンは、ドットパターンが印刷された記録媒体上に筆記される情報を印字するインクペンユニットと、前記筆記に伴い前記ドットパターンを読み取る読取りユニットとを備えることを特徴とする請求項１または２記載のデータ処理装置。
【請求項４】
前記記憶手段は、複数の電子ペンの識別情報別に対応付けられたドットサイズをそれぞれ記憶することを特徴とする請求項１または２記載のデータ処理装置。
【請求項５】
前記生成手段は、複数のドットサイズから印刷すべきドットサイズを選定して前記印刷データを生成することを特徴とする請求項１または２記載のデータ処理装置。
【請求項６】
前記補正手段は、前記印刷データを印刷する印刷装置が使用する印刷材の飛散特性に基づいて、前記記憶手段に記憶されているドットサイズを補正することを特徴とする請求項１または２記載のデータ処理装置。
【請求項７】
電子ペンから取得される情報を通信により取得して処理可能な第１のデータ処理装置と、前記電子ペンが読み取る帳票を印刷する印刷データを印刷装置に出力する第２のデータ処理装置とが通信してデータ処理を行うデータ処理システムであって、
前記第２のデータ処理装置は、
前記電子ペンが可読できるドットサイズを記憶する記憶手段と、
前記記憶手段からドットサイズを取得する取得手段と、
前記取得手段により取得されたドットサイズに基づいて、ドットパターンが配置される帳票を印刷する印刷データを生成する生成手段と、
前記生成手段により生成された印刷データに基づいて印刷された帳票中のドットパターンを前記電子ペンが読み取って認識されるドット情報を前記第１のデータ処理装置から受信する受信手段と、
前記受信手段が受信するドット情報に基づいて、前記記憶手段に記憶されているドットサイズを補正する補正手段と、
を有することを特徴とするデータ処理システム。
【請求項８】
電子ペンから取得される情報を通信により取得して処理可能な第１のデータ処理装置と、前記電子ペンが読み取る帳票を印刷する印刷データを印刷装置に出力する第２のデータ処理装置とが通信してデータ処理を行うデータ処理システムであって、
前記第２のデータ処理装置は、
前記電子ペンが可読できるドットサイズを記憶する記憶手段と、
前記記憶手段からドットサイズを取得する第１の取得手段と、
前記第１の取得手段により取得されたドットサイズに基づいて、ドットパターンが配置される帳票を印刷する印刷データを生成する生成手段と、
前記生成手段により生成された印刷データに基づいて印刷装置が帳票を印刷しり場合、前記印刷装置が読み取る印刷される帳票中のドットサイズの情報を前記印刷装置から取得する第２の取得手段と、
前記第２の取得手段により取得されるドット情報に基づいて、前記記憶手段に記憶されているドットサイズを補正する補正手段と、
を有することを特徴とするデータ処理システム。
【請求項９】
電子ペンから取得される情報を通信により取得して処理可能な第１のデータ処理装置と、前記電子ペンが読み取る帳票を印刷する印刷データを印刷装置に出力する第２のデータ処理装置と、前記電子ペンが可読できるドットサイズを記憶して管理する第３のデータ処理装置とが通信してデータ処理を行うデータ処理システムであって、
前記第２のデータ処理装置は、
前記第３のデータ処理装置からドットサイズを取得する第１の取得手段と、
前記第１の取得手段により取得されたドットサイズに基づいて、ドットパターンが配置される帳票を印刷する印刷データを生成する生成手段と、
前記生成手段により生成された印刷データに基づいて印刷された帳票中のドットパターンを前記電子ペンが読み取って認識されるドット情報を前記第１のデータ処理装置から受信する受信手段と、
前記第３のデータ処理装置は、
前記第２のデータ処理装置の前記受信手段が受信するドット情報を取得する第２の取得手段と、
前記第２の取得手段が取得する前記ドット情報に基づいて、前記第３のデータ処理装置で記憶されているドットサイズを補正する補正手段と、
を有することを特徴とするデータ処理システム。
【請求項１０】
電子ペンから取得される情報を通信により取得して処理可能な第１のデータ処理装置と、前記電子ペンが読み取る帳票を印刷する印刷データを印刷装置に出力する第２のデータ処理装置と、前記電子ペンが可読できるドットサイズを記憶して管理する第３のデータ処理装置とが通信してデータ処理を行うデータ処理システムであって、
前記第２のデータ処理装置は、
前記電子ペンが可読できるドットサイズを記憶する記憶手段と、
前記記憶手段からドットサイズを取得する第１の取得手段と、
前記第１の取得手段により取得されたドットサイズに基づいて、ドットパターンが配置される帳票を印刷する印刷データを生成する生成手段と、
前記生成手段により生成された印刷データに基づいて印刷装置が帳票を印刷する場合、印刷した帳票中のドットサイズの情報を前記印刷装置から取得する第２の取得手段と、
前記第３のデータ処理装置は、
前記第２のデータ処理装置の前記第２の取得手段により取得されるドット情報を取得する第３の取得手段と、
前記第３の取得手段が取得するドット情報に基づいて、前記記憶手段に記憶されているドットサイズを補正する補正手段と、
を有することを特徴とするデータ処理システム。
【請求項１１】
電子ペンから取得される情報を通信により取得して処理可能なデータ処理装置におけるデータ処理方法であって、
前記電子ペンが可読できるドットサイズを記憶部に記憶する記憶ステップと、
前記記憶部によって記憶されたドットサイズに基づいて、ドットパターンが配置される帳票を印刷する印刷データを生成する生成ステップと、
前記生成ステップにより生成された印刷データに基づいて印刷された帳票中のドットパターンを前記電子ペンが読み取り、該読み取り得られたドット情報を取得する取得ステップと、
前記取得ステップによって取得されたドット情報に基づき、前記記憶部に記憶されているドットサイズを補正する補正ステップと、
を有することを特徴とするデータ処理方法。
【請求項１２】
電子ペンから取得される情報を通信により取得して処理可能なデータ処理装置におけるデータ処理方法であって、
前記電子ペンが可読できるドットサイズを記憶部に記憶する記憶ステップと、
前記記憶部からドットサイズを取得する取得ステップと、
前記取得ステップにより取得されたドットサイズに基づいて、ドットパターンが配置される帳票を印刷する印刷データを生成する生成ステップと、
前記生成ステップにより生成された印刷データに基づいて印刷装置が帳票を印刷する場合、印刷した帳票中のドットサイズの情報を前記印刷装置から取得する取得ステップと、
前記取得ステップにより取得されるドット情報に基づいて、前記記憶部に記憶されているドットサイズを補正する補正ステップと、
を有することを特徴とするデータ処理方法。
【請求項１３】
前記電子ペンは、ドットパターンが印刷された記録媒体上に筆記される情報を印字するインクペンユニットと、前記筆記に伴い前記ドットパターンを読み取る読取りユニットとを備えることを特徴とする請求項１０または１１記載のデータ処理方法。
【請求項１４】
前記記憶ステップは、複数の電子ペンの識別情報別に対応付けられたドットサイズをそれぞれ前記記憶部に記憶することを特徴とする請求項１０または１１記載のデータ処理方法。
【請求項１５】
前記生成ステップは、複数のドットサイズから印刷すべきドットサイズを選定して前記印刷データを生成することを特徴とする請求項１０または１１記載のデータ処理方法。
【請求項１６】
前記補正ステップは、前記印刷データを印刷する印刷装置が使用する印刷材の飛散特性に基づいて、前記記憶部に記憶されているドットサイズを補正することを特徴とする請求項１０または１１記載のデータ処理方法。
【請求項１７】
請求項１０〜１５のいずれかに記載のデータ処理方法をコンピュータに実行させるためのプログラムを格納したことを特徴とするコンピュータが読み取り可能な記憶媒体。
【請求項１８】
請求項１０〜１５のいずれかに記載のデータ処理方法をコンピュータに実行させることを特徴とするプログラム。
【発明の詳細な説明】
【技術分野】
【０００１】
本発明は、電子ペンを使用して帳票処理を行うデータ処理装置、あるいは複数のデータ処理装置を介して電子ペンを使用して帳票処理を行うデータ処理システムにおけるデータ処理に関するものである。
【背景技術】
【０００２】
近年、手書きの文字や図形などのデータをデジタル化してパソコンやワープロなどに取り込むことを可能にする電子ペンが開発・実用化されている。このような電子ペン技術として、例えば下記特許文献１、２に記載の技術がある。この技術では、ドットパターンが印刷された特殊ペーパ（以下、単にペーパという）を用いて、電子ペンを使ってペーパ上に書き込んだ文字・図形の軌跡をベクトル化して保存・送信できる。
【０００３】
この技術を用いたシステムでは、事前にドットパターンを印刷装置等で印刷したペーパを用意する。そして、このペーパに帳票のフォーマットを印刷し、作業者がデジタルペンでこの帳票に情報を記入する。そして、デジタルペンの軌跡をデジタルデータとして送信し、ペンの軌跡をデジタル情報として利用する事が行われる。
【０００４】
このような技術を利用したものに、デジタル化した電子カルテ情報システムがある。これはペーパ上に印刷されたドットパターンを電子ペンで読み取ることによってペーパ上に手書きした文字や図形をデジタル化する。
【特許文献１】特開2004-54375号公報
【特許文献２】特開2005-215815号公報
【発明の開示】
【発明が解決しようとする課題】
【０００５】
このような上記電子ペンによるカルテ管理システムでは、院内に設けられる受け付けにてカルテ帳票を印刷し診療部門へ回付する場合がある。この場合、医師が患者を診療する段階で、電子ペンによりカルテに問診結果等を記載する。そして、医師が帳票（ドットパターン）上に電子ペンで記載する患者情報と前歴データの情報と電子カルテ管理システムとは連動している必要がある。
【０００６】
この条件を満たす方法の１つとして、医療現場においてはドットパターンを自動的に振り出して事前に情報を組み込んだ帳票を印刷する方法がある。
【０００７】
公知例であるアノト紙では１００ミクロンのドット径であるが、トナーを利用した複写機やインクジェットプリンタ等の印刷装置によって電子カルテ帳票を印刷する場合（白紙、もしくは追記用）では、以下の問題が発生する。つまり、印刷デバイスの特性（機種依存）や紙質によってにじみや飛び散り状況が異なり、カルテに印刷される各ドットのサイズがばらついて印刷される事態が発生する。なお、ばらつきは、印刷デバイスの特性（機種依存）ばかりでなく、印刷環境（湿度、温度、濃度設定等）の要因によってもばらついてしまう。
【０００８】
このような、ドット径のばらつきを抑えるためには、電子ペンの解像度に入るようドットを大きくする方法が考えられるが、紙が全体的にくすんで見栄えが悪くなる。特に、カルテに画像を印刷して医師に提供する場合、ドットが大きいと医者が記載した情報と印刷されているドットそのものとを誤認する可能性がある。
【０００９】
なお、印刷した画像内に透かしデータや他のコンテンツデータを埋め込む技術がある。この応用例としてデータを確実に読み取れるか再確認を印字装置でスキャンして確認する方法も考えられるが、読み取るデバイスが複数ありそのデバイスによって特性が異なる場合、不向きである。
【００１０】
本発明は、上記の課題を解決するためになされたもので、本発明の目的は、帳票印刷時に印刷すべきドットパターンのドット径サイズを補正して、電子ペンが正常にドットパターンを読み取り可能な帳票を印刷できる仕組みを提供することである。
【課題を解決するための手段】
【００１１】
上記目的を達成する本発明の情報処理装置は以下に示す構成を備える。
【００１２】
電子ペンから取得される情報を通信により取得して処理可能なデータ処理装置であって、前記電子ペンが可読できるドットサイズを記憶する記憶手段と、前記記憶手段によって記憶されたドットサイズに基づいて、ドットパターンが配置される帳票を印刷する印刷データを生成する生成手段と、前記生成手段により生成された印刷データに基づいて印刷された帳票中のドットパターンを前記電子ペンが読み取り、該読み取り得られたドット情報を取得する取得手段と、前記取得手段によって取得されたドット情報に基づき、前記記憶手段に記憶されているドットサイズを補正する補正手段とを有することを特徴とする。
【発明の効果】
【００１３】
本発明によれば、電子ペンが読み取るドットパターンの読み取り状態に基づいて、帳票印刷時に印刷すべきドットパターンのドット径サイズを補正して、電子ペンが正常にドットパターンを読み取り可能な帳票を印刷できる。
【発明を実施するための最良の形態】
【００１４】
次に本発明を実施するための最良の形態について図面を参照して説明する。
【００１５】
＜システム構成の説明＞
〔第１実施形態〕
以下、図面を参照して本発明の好適な実施の形態について説明する。まず始めに、本発明において帳票の印字装置を含む入力デバイスとして使用される電子ペンを使った病院内システムの概要について説明する。また、本例では、医療システムで普通紙にドットパターンと罫線を含む帳票として印刷処理するシステム例を示す。ただし、本発明は、医療システムに限定されるものではなく、教育、行政、金融、物流等の各分野のシステムに適用可能である。
【００１６】
図１は、本発明の第１実施形態を示す電子ペンの使用形態を模式的に示す電子カルテ情報システムの一例を説明する図である。なお、本実施形態では、複数のデータ処理装置が帳票を処理する例を示すが、１つのデータ処理装置の機能処理で構成することも可能である。
【００１７】
本システムでは、医師診察部１０１、受付部１０２、座標サービスサーバ１０３からなり、それぞれはインターネットもしくはイントラネット（病院内の基幹通信路）１０４を経由して双方向に情報を交換可能に構成されている。
【００１８】
図１において、受付部１０２には電子カルテ帳票システム１０６があり、座標サービスサーバ１０３から取得したドットパターンを取得する。そして、座標サービスサーバ１０３から取得したドットパターンを専用カルテ帳票紙（カルテ）２０に付加した帳票をプリンタ１０７から印刷する。そして、医師診察部１０１に送付している。なお、振り出したパターンは記憶装置で構成されるデータベース１０８に記憶されている。
【００１９】
医師診断部１０１には、担当医師が利用する電子カルテ帳票システム１０５と電子ペン、及びカルテ２０を使い手書き入力された医療行為の情報を電子的に入力する。前記医療行為の情報は、所定の言語規約に基づくものである。
【００２０】
電子カルテ帳票システム１０５、１０６は互いに連動しデータを所定のプロトコルで授受し合えるように構成されている。
【００２１】
また、電子カルテ帳票システム１０５、１０６は、いわゆるＣＰＵ、ＲＯＭ、ＲＡＭ等を含む制御ユニットを備え、さらに、入出力デバイスとしてのキーボード、ポインティングデバイス、表示装置を備える。そして、ＣＰＵは、所定のオペレーティングシステムをＲＡＭにロードし、インストールされているアプリケーションを起動することで、各種のデータ処理を実行できるように構成されている。
【００２２】
電子ペン１０は、ドットパターンが印刷された専用ペーパであるカルテ２０と組み合わせて使用される。
【００２３】
電子ペン１０は、通常のインクペンと同様のペン先部１７を備えており、医師は通常のインクペンと同様にカルテ２０上に文字などを書くことになる。電子ペン１０は、座標データを電子カルテ帳票システム１０５に送り、電子カルテ帳票システム１０５は、絶対座標を座標サービスサーバ１０３に問い合わせ、帳票のサイズ、罫線の配置、及びドットの配置を取得する。
【００２４】
なお、本実施形態において、電子カルテ帳票システム１０５は電子ペンから取得される情報を通信により取得して処理可能な第１のデータ処理装置として機能する。また、電子カルテ帳票システム１０６は前記電子ペンが読み取る帳票を印刷する印刷データを印刷装置に出力する第２のデータ処理装置として機能する。また、本システムは、電子カルテ帳票システム１０５、１０６が通信してデータ処理を行うデータ処理システムである。
【００２５】
そして、座標サービスサーバ１０３は、第３のデータ処理装置として機能し、電子ペン１０が可読できるドットサイズを記憶する記憶手段として、データベース１０８を備える。なお、データベース１０８には、図５に示すテーブルを記憶して、座標サービスサーバ１０３は電子カルテ帳票システム１０６の求めに応じて、ドット径の情報の書き込み、読み出しを行う。つまり、電子カルテ帳票システム１０６は、座標サービスサーバ１０３が備えるデータベース１０８からドットサイズを取得する取得機能を備える。また、電子カルテ帳票システム１０６は、取得されたドットサイズに基づいて、ドットパターンが配置される帳票を印刷する印刷データを生成する生成機能を備える。
【００２６】
さらに、電子カルテ帳票システム１０６は、生成された印刷データに基づいて印刷された帳票中のドットパターンを前記電子ペンが読み取って認識されるドット情報を電子カルテ帳票システム１０から受信する受信機能を備える。さらに、電子カルテ帳票システム１０６は、電子カルテ帳票システム１０５から受信するドット情報に基づいて、データベース１０８に記憶されているドットサイズを補正する補正機能を備える。
【００２７】
図２は、図１に示した電子ペン１０の構造を示す機能ブロック図である。
【００２８】
図２において、電子ペン１０は、その内部にプロセッサ１１、メモリ１２、データ通信ユニット１３、バッテリー１４、赤外線ＬＥＤ１５、カメラ１６及び圧力センサ１８を備える。また、電子ペン１０は通常のインクペンと同様の構成要素としてインクカートリッジ（図示せず）などを有する。
【００２９】
電子ペン１０は、ペン先部１７により専用ペーパであるカルテ２０上に描かれたインクの軌跡をデータ化するのではなく、カルテ２０上で電子ペン１０が移動した軌跡座標をデータ化する。赤外線ＬＥＤ１５がカルテ２０上のペン先部１７近傍を照明しつつ、カメラ１６がカルテ２０に印刷されているドットパターンを読み取り、データ化する。
【００３０】
つまり、電子ペン１０はカルテ２０上で利用者が電子ペン１０を移動させることにより生じるストロークを画像データ又はベクトルデータとして取得することができるように構成されている。
【００３１】
圧力センサ１８は、利用者が電子ペン１０によりカルテ２０上に文字などを書く際に、ペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。
【００３２】
即ち、利用者が電子ペン１０でカルテ２０上に文字などを書くと、ペン先部１７には筆圧がかかる。
【００３３】
よって、所定値以上の筆圧が検出されたときに、利用者（本システムでは、担当医）が所見の記述を開始したと判定して、赤外線ＬＥＤ１５及びカメラ１６を作動する。
【００３４】
カメラ１６は、カルテ２０上のドットパターンを読み取り、そのパターンデータをプロセッサ１１に供給する。プロセッサ１１は、供給されたドットパターンから、カルテ２０上でのＸ／Ｙ座標を算出する。
【００３５】
プロセッサ１１は、利用者の記述が行われる間に、筆圧の配列データ及びＸ／Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００３６】
利用者により送信指示がなされるまでは、取得された全てのデータはメモリ１２内に保持される。そして、利用者が送信指示を行うと、データ通信ユニット１３により、電子ペン１０と所定距離内にある電子カルテ帳票システム１０５へメモリ１２内のデータが送信される。基本的には、一度送信指示がなされると、電子ペン１０はメモリ１２内に記憶していた全てのデータを電子カルテ帳票システム１０５へ送信するため、メモリ１２内はクリアされる。その後、電子ペン１０の移動が検出されれば、逐次データを送信する。
【００３７】
電子ペン１０自体は、送信ボタンなどの機能ボタンを備えておらず、送信指示は電子カルテ帳票システム１０５からの指示で行う。また、電子ペン１０はディスプレイやボタンなどを持たないが、データの送信完了を電子ペン１０の振動により示すこともできる。
【００３８】
バッテリー１４は電子ペン１０内の各要素に電源供給するためのものであり、例えば電子ペン１０のキャップ（図示せず）により電子ペン１０自体の電源のオン／オフを行うことができる。
【００３９】
このように、電子ペン１０は、利用者がカルテ２０上に記述した文字などに対応する座標データ及び筆圧データを取得して近傍の電子カルテ帳票システム１０５へ送信する機能を有する。さらに、電子ペン１０のペン先部１７は通常のインクペンとなっている。このため、専用ペーパで構成されるカルテ２０上に記述した内容はオリジナルの原本として残るという特徴がある。
【００４０】
即ち、紙の原本に対して記述するのと同時に、その内容を座標データなどの形態でリアルタイムに電子化することができる。
【００４１】
なお、電子ペン１０の標準機能によれば、電子ペン１０により得られるデータは、原則として座標データ又はベクトルデータの形態であり、テキストデータではない。
【００４２】
また、電子ペン１０内には、ペン自体及びその所有者に関するプロパティ情報（ペン情報及びペン所有者情報）を、例えばメモリ１２内に保持することができ、アプリケーションから参照することができる。
【００４３】
また、電子ペン１０のプロセッサ１１は、カルテ２０上のドットの検出を行う際に、読み取りエラー、カルテ２０上のドットの認識エラー、読み取りドットサイズ情報に基づいてエラー判定処理を行う。そして、エラー判定処理で、検出されているエラー情報を電子カルテ帳票システム１０５を介して、ドットパターンが配置された帳票を印刷するための印刷データを生成する電子カルテ帳票システム１０６に送信する。
【００４４】
これにより、電子カルテ帳票システム１０６は、当該電子ペン１０のＩＤに対応づけてデータベース１０８も登録されているドット径の情報を補正して、ドット径の情報を更新登録する。
【００４５】
つまり、以後、エラー情報を送信している電子ペン１０が仕様するカルテ２０を電子カルテ帳票システム１０６が印刷する際に、印刷データとしてのドット径のサイズが調整される。これにより、印刷されたカルテ２０を電子ペン１０がそのドットパターンを正常に読み取り可能となる。
【００４６】
なお、上記の例におけるデータ通信ユニット１３では、Ｂｌｕｅｔｏｏｔｈ（商品名）の無線伝送、ＵＳＢケーブルを使用した有線伝送、端子などの接触によるデータ伝送など、各種の方法によって電子ペン１０から電子カルテ帳票システム１０５へのデータ送信を行う。
【００４７】
図３は、図１に示したカルテ２０に印刷されたドットパターンによる情報の表現方法を説明する図である。
【００４８】
図３に例示するようにドットパターンは、各ドットの位置がデータに対応付けされている。
【００４９】
図３の例では、ドットの位置を格子の基準位置（縦線及び横線の交差点）から上下左右にシフトすることにより、０〜３の２ビット情報を表示した例である。このようにして表現された情報の組合せにより、専用ペーパであるカルテ２０上の位置座標が決定される。
【００５０】
図４は、図３に示したドットパターンの配列及びそれに対応する情報の一例を示す図である。
【００５１】
図４の（ａ）に例示するように、本実施形態では、例えば縦横２ｍｍの範囲内に３６個のドットが格子状に配置され、これらのドットにより示されるデータの配列（図４の（ｂ））が、そのカルテ２０上の位置座標と対応付けされている。
【００５２】
そのため、電子ペン１０のペン先がペーパ空間上のどの位置にいるかその絶対座標をプロセッサ１１がリアルタイムで正確に特定することができる。
【００５３】
ペーパ空間の大きさは約６千万平方キロメートルに及ぶが、この広大なペーパ空間の中から任意の６×６ドットの領域を切り出したとき、１つとして重複するものがないことが数学的に保証されている。
【００５４】
電子ペン１０のカメラ１６が図４の（ａ）に示すようなドットパターンを撮影する。これにより、プロセッサ１１はカメラ１６から入力されるドットパターンのデータに基づいて、図４の（ｂ）に示すデータ配列を取得し、それに対応するカルテ２０上の位置座標をリアルタイムで算出する。
【００５５】
ここで、位置座標とは、即ち、そのドットパターンがそのカルテ２０上のどの位置にあるのかを示す情報である。
【００５６】
なお、ドットパターンを認識する最小単位は、例えば２ｍｍ×２ｍｍであり、カメラ１６は毎秒１００回程度の撮影を行う。
【００５７】
本実施形態における電子ペン１０の認識可能なドットサイズは０．１ｍｍとする。これ以下のドットサイズになる場合、電子ペン１０は認識率が急激に悪くなり、サイズが９０％以下になると判別不能になる。
【００５８】
一方、２００％を越える場合、すなわちドット径が大きくなった場合も同様に、認識率が急激に悪くなり、サイズが２１０％以上になると判別不能になる。
【００５９】
次に、カルテ２０について説明する。
【００６０】
カルテ２０は帳票として構成されており、カルテ２０上には、上述したドットパターン３２が印刷され、その上に罫線が印刷されている。カルテ２０は、２層構造で構成され、台紙と図案のそれぞれの層から構成されている。
【００６１】
ここで、台紙は通常は紙であり、上述したドットパターン３２は前述のようにカーボンを含んだ専用インキにより印刷される。また、通常のインキなどによりカルテ用の罫線（図案）が印刷される。
【００６２】
また、ドットパターンの割り当ては、通常、アプリケーション（用紙の種類）、診療科、患者毎に行われる。例えばカルテ帳票入力用に割り当てる。新規カルテ帳票入力用は特定の枚数を１グループ（例えば１０枚）としその中でユニークになるよう割り当てをする。ドットパターンをプリンタにより紙上に形成する場合には、１枚１枚に異なるドットパターンを形成することが可能である。
【００６３】
よって、形成されたドットパターンの違いにより、それらの用紙１枚１枚を識別し、区別することが可能となる。
【００６４】
医師が電子ペン１０で必要事項を手書きで入力すると、その入力事項がその帳票カルテに対するかを紙上の座標データから特定することができる。カルテ帳票には罫線を印刷してある。
【００６５】
したがって、ドットパターンと罫線に対するドットの上下左右の位置関係等や罫線と関係は印刷時に管理し、帳票のサイズ、罫線の配置情報を座標サービスサーバ１０３へ送付する。そして、座標サービスサーバ１０３は、帳票のサイズ、罫線の配置情報及びドットの配置を関連つけて管理する。
【００６６】
上記の例では、ドットパターンは専用ペーパであるカルテ２０上にカーボンを含むトナーにより罫線等の図案は通常の紙上にプリントする。
【００６７】
図５は、図１に示した座標サービスサーバ１０３が管理するテーブルの一例を示す図である。なお、後述するテーブルは、座標サービスサーバ１０３が備える外部記憶装置、例えばハードディスク等に記憶されるものとする。
【００６８】
図５において、座標サービスサーバ１０３は、カルテ２０に専用のトナーで印刷されたドットパターンを管理する一方、ドット制御テーブル５０１、ペン管理テーブル５２０を有する。
【００６９】
ドット制御テーブル５０１は、電子ペン１０の固有IDを管理するペンデバイスID５０２、補正情報を利用する前のデフォルトドットサイズを示すデフォルト値（F）５０３を備える。
【００７０】
また、ドット制御テーブル５０１は、電子ペン１０がドット認識できる最大径を示す最大認識値５０４を備える。また、電子ペン１０がドット認識できる最小径を示す最小認識値５０５、電子ペン１０に対応したドット印刷するプリンタ１０７の固有IDを示す印字デバイスID５０６を備える。
【００７１】
さらに、ドット制御テーブル５０１は、印刷するドットサイズを補正するための補正値を示すドット係数５０７、上記データの変更があった日を示す更新日５０８を備える。
【００７２】
ドット制御テーブル５０１は、電子ペン１０毎、プリンタ毎、更新毎に上記テーブルが作成され、変更履歴も管理できる。
【００７３】
ペン管理テーブル５２０は、電子ペン１０の固有IDを管理するペンデバイスID５２１を備える。また、ペン管理テーブル５２０は、電子ペン１０をどの診療科のPCで利用されているかを示す診療科５２２を備える。さらに、ペン管理テーブル５２０は、利用されるPCの管理番号であるPGINPC  ID５２３、上記データの変更があった日を示す更新日５２４からなる。なお、付加的に他のデータ項目を追記して管理することは任意である。
【００７４】
図６は、図１に示したカルテ２０を印刷したときのドットを拡大して示した図である。本例は、電子ペン１０が認識するためのドット径を示した状態に対応する。
【００７５】
図６において、（ａ）はデフォルトのドットパターンを印字した一例であり、プリンタよりドット印字したとき、通常トナーの飛び散り等が生じている中で飛び散りを含めない形でデフォルト径をカバーしている状態である。
【００７６】
（ｂ）はプリンタよりドット印字したとき、通常トナーの飛び散り等が生じている中で飛び散りを含めない形で、図５に示した最小認識値５０５径をカバーしている状態である。
【００７７】
（ｃ）はプリンタよりドット印字したとき、通常トナーの飛び散り等が生じている中で飛び散りを含めた形で、図５に示した最小認識値５０５径をカバーしている状態である。
【００７８】
本実施形態では、図５に示したドット係数５０７にしたがって数値ｍ，ｎ，ｏと順次小さくし上記３つの状態を（ａ），（ｂ），（ｃ）と遷移するように印字する。
【００７９】
図７は、本実施形態のデータ処理装置における第１のデータ処理手順の一例を示すフローチャートである。本処理例は、院内のワークフロー例である。
【００８０】
なお、Ｓ７０１〜Ｓ７０３は各ステップを示す。また、各ステップは、電子カルテ帳票システム１０６、１０５のＣＰＵが記憶されるプログラムをＲＡＭにロードして実行することで実現される。
【００８１】
患者が受付部１０２を訪れると、受付部１０２の担当者は受付業務（診察券、保険証等の確認）を行い、患者の基本情報を整理し、カルテをプリンタ１０７で印刷する（Ｓ７０１）。
【００８２】
受付部１０２にて患者用のカルテ２０を診療を行う医師診断部１０１に転送する。この転送は、物流的な転送である。そして、転送されてきたカルテ２０を使って、医師は患者を診察し、所見等を電子ペン１０にて入力してカルテ２０に記載する。
【００８３】
このとき、医師は事前に電子カルテ帳票システム１０５の帳票アプリケーションを起動している。
【００８４】
ここで、カルテ２０に印刷されたドットパターンを検出した電子ペン１０は、順次読み取ったデータを電子カルテ帳票システム１０５へ送付する（Ｓ７０２）。そして、入力が終了した（医師による患者に対する診察が終了）場合、医師は電子カルテ帳票システム１０５内にあるデータを確認し、データを保存する等の確定処理を実行し（Ｓ７０３）、本処理終了する。
【００８５】
図８は、図１に示したカルテ２０に電子ペン１０を使い医療行為の情報を電子的に入力する帳票の概観を示す図である。
【００８６】
図８において、カルテ２０には患者の基本情報（書誌的事項）を記載する欄８０２、及び所見等を記載する欄等の所見欄８０３があらかじめ印刷されている。医師は所見欄８０３に従って所見を記載する。
【００８７】
一方、患者が再診の場合、以前入力した記載情報がカルテ２０上に印刷されている。初診の場合、基本情報はあらかじめ受付にて記載もしくは印刷している。
【００８８】
図９は、本実施形態の第２のデータ処理装置における第２のデータ処理手順の一例を示すフローチャートである。本処理例は、受付部１０２にてカルテ２０をプリンタ１０７で印刷する際の処理例である。
【００８９】
なお、Ｓ９０１〜Ｓ９１２は各ステップを示す。また、各ステップは、電子カルテ帳票システム１０６、１０５のＣＰＵが記憶される制御プログラムをＲＡＭにロードして実行することで実現される。
【００９０】
図１に示した受付部１０２において、受付部１０２の担当者は、患者からの受付業務を行い、ステップＳ９０１で、患者の基本情報を取得し、電子カルテ帳票システム１０６にデータを図示しない入力部を介して入力する。
【００９１】
電子カルテ帳票システム１０６のＣＰＵは、記憶装置に登録済みの患者の診察データを検索して、ステップＳ９０２で、入力した患者のデータが既知のものか否かで初診か再診、再来かを判断する。
【００９２】
そして、ステップＳ９０２で、再診、再来であると判断した場合は、ステップＳ９０３で、過去の診療データを電子カルテ帳票システム１０６が備える、またはアクセス可能なデータベースから取得する。つまり、データベースは、他のシステム上に構築されていてもよいし、電子カルテ帳票システム１０と一体として構成されていてよい。そして、ステップＳ９０４へ進む。
【００９３】
一方、ステップＳ９０２で、患者が初診であるとＣＰＵが判断した場合は、ステップＳ９０４で、患者情報を記入した帳票データを準備する。
【００９４】
この場合、再診もしくは再来時には、ステップＳ９０３にて取得した診療データも帳票データとして合成する。
【００９５】
次に、ステップＳ９０５で、患者が診療を受ける診療科に登録された電子ペン１０を、図５に示したペン管理テーブル５２０を利用して検索する。そして、ステップＳ９０６で、検索結果の内容から、診療科に登録された電子ペン１０があるか否かをＣＰＵで判断する。ここで、ＣＰＵが電子ペンを検出できないと判断した場合は、Ｓ９０７で、図５に示したドット制御テーブル５０１にある標準デフォルトデータを取得し、ドット径をセットする。
【００９６】
一方、ステップＳ９０６で、ＣＰＵが電子ペン１０が登録されていると判断した場合は、ステップＳ９０８で、診療科に登録された電子ペン１０が複数ある（グループ登録されている）か否かを判断する。
【００９７】
ここで、診療科に複数の電子ペンを検出したと判断した場合、ステップＳ９０９で、登録されている電子ペン１０のうちドット制御テーブル５０１にある最大のドット補正値（ＭＡＸ値）を取得し、ドット径をセットする。
【００９８】
一方、ステップＳ９０８で、電子ペン１０が１台のときは、ステップＳ９１０にてそのドット制御テーブル５０１にあるドット補正値を取得し、ドット径をセットする。
【００９９】
そして、ステップＳ９１１で、カルテの情報及び印刷する帳票ＩＤを座標サービスサーバ１０３に申請し、ドットパターンを取得する。そして、ステップＳ９１２で、ステップＳ９０７，Ｓ９０９、Ｓ９１０のいずれかのステップで確定したドット径に基づいて、帳票イメージデータを生成させ、プリンタ１０７で印刷を行い、本処理を終了する。
【０１００】
図１０は、本実施形態のデータ処理装置における第３のデータ処理手順の一例を示すフローチャートである。本処理例は、医師側の電子カルテ帳票システム１０５、受付側の電子カルテ帳票システム１０６の処理例である。なお、Ｓ１００１〜Ｓ１００８は各ステップを示す。また、各ステップは、電子カルテ帳票システム１０５、電子カルテ帳票システム１０６を構成するコンピュータシステムの制御部が備えるＣＰＵがシステムプログラムをＲＡＭにロードして実行することで実現される。
【０１０１】
まず、医師が電子カルテ帳票システム１０５を起動すると、ステップＳ１００１で、電子ペン１０の認識を待つ。電子ペン１０は、無線通信でその応答状態から電子ペン１０の存在を識別情報等から確認する。
【０１０２】
ステップＳ１００１で、電子カルテ帳票システム１０５が、担当医が操作する電子ペン１０を認識すると、電子ペン１０の固有ＩＤを取得し座標サービスサーバ１０３に登録状態の確認を行う。ここで、認識した電子ペンを認識できないと電子カルテ帳票システム１０５のＣＰＵが判断した場合、すなわち、電子ペンが未登録であると判断した場合は、ステップＳ１００２に進む。そして、ステップＳ１００２で、電子カルテ帳票システム１０５のＣＰＵは、未登録状態の電子ペンをドット制御テーブル５０１、ペン管理テーブル５２０へ新規登録処理を依頼する。
【０１０３】
一方、ステップＳ１００１で、カルテ２０上のドットパターンを検出した電子ペン１０は、電子ペン１０が順次読み取ったデータを電子カルテ帳票システム１０５へ送付する。電子ペン１０が順次読み取ったドット情報データには、ドット径の大小の判定情報、ドットの認識率等のエラー情報も含まれる。そして、ステップＳ１００３で、電子カルテ帳票システム１０５は帳票の記入（データ入力）を待つ。
【０１０４】
そして、電子ペン１０から送られてきたドット情報データは、ステップＳ１００４で、電子カルテ帳票システム１０５が備えるメモリ（例えばＲＡＭ）に一時記憶し、入力の終了及び入力データの内容を確認の判断する（Ｓ１００５）。
【０１０５】
そして、ステップＳ１００５で、入力データが確定していると判断した場合、ステップＳ１００６にすすむ。
【０１０６】
Ｓ１００６では、ドット情報データを電子カルテ帳票システム１０６にネットワークを介して送信する。電子カルテ帳票システム１０６は、電子カルテ帳票システム１０５からドット情報データを取得するとステップＳ１００７に進む。
【０１０７】
そして、ステップＳ１００７で、電子カルテ帳票システム１０６のCPUは、取得したドット情報データ（ドット径の大小の判定情報、ドットの認識率）に基づいてドット認識率が１００％から８０％の場合現状維持、７９％以下ならばドット径の縮小・拡大を指示する補正処理を行う。なお、取得したドット認識率の先の基準値を７９％以下から６０％、５９％以下のようにさらに設け拡大縮小の補正率を段階的に設けることもできる。
【０１０８】
そして、ステップＳ１００８で、ドット径の補正指示に基づいて、座標サービスサーバ１０３は、当該電子ペン１０に対するドット制御テーブル５０１の補正値（ドット係数５０７に対応する）を修正登録して、本処理を終了する。
【０１０９】
なお、本実施形態におけるドット径の補正の仕方は、例えば２２％ずつ段階的に減らす、減らし方の方法やそのピッチは選ばないことはいうまでもない。
【０１１０】
上記実施形態によれば、ペンの認識率を一定に維持しつつドットの目立ちを抑えることができる。また、手軽に電子ペーパを印刷できるようになる。トナーやインクの無駄を抑えることができる効果もある。なお、ドットパターンの検査（複写機内で）を行えば、印字したドットパターンの乱れ／傷を判断し、補正情報として管理することも可能となる。
【０１１１】
〔第２実施形態〕
本実施形態では、医師が電子ペン１０を操作する際にエラー検出を行っているが、他の実施形態として、ドット径を検出するカメラ機能をプリンタ１０７内の紙搬送系に設置して行うことにより、密接な補正を行えるように構成してもよい。
【０１１２】
この場合、ドット径を検出するカメラ機能により、抽出したドット径とドットパターンを座標サービスサーバ１０３にて関連付け記憶する。これにより、基準データとして医師らが利用する電子ペン１０の補正データとその印刷したドットパターンごとに差異を正確に把握することが可能になる。
【０１１３】
また、ドットパターンを印刷可能なトナーによる印刷やインクジェットによる印刷といったプリンタ１０７の印刷方式の差異は、本発明の適用に限定されることはない。
【０１１４】
〔第３実施形態〕
なお、上記第１実施形態では、データ処理システムとして、パターンを座標サービスサーバ１０３、電子カルテ帳票システム１０５，１０６と電子ペン１０等からなるシステムとして説明した。
【０１１５】
しかしながら、パターンを座標サービスサーバ１０３、電子カルテ帳票システム１０５，１０６の機能を、１つのデータ処理装置、あるいは、２つのデータ処理装置でシステムを以下の態様で構成しても何ら問題はない。
【０１１６】
〔態様例１〕
電子ペン１０から取得される情報を通信により取得して処理可能なデータ処理装置は、以下の構成を備える。なお、データ処理装置は、電子ペン１０と通信可能な通信機能と、通常のデータ処理を行うハードウエアと、ソフトウエア資源を備える。ここで、ハードウエア資源は、ＣＰＵ、ＲＯＭ、ＲＡＭを含む制御ユニット、入出力デバイスとしてのキーボード、ポインティングデバイス、表示装置を含む。また、ソフトウエア資源としては、ＯＳ、デバイスドライバ、各種のアプリケーションプログラムを含む。
【０１１７】
電子ペン１０が可読できるドットサイズを記憶する、例えばハードディスク等の記憶手段を備える。そして、データ処理装置のＣＰＵが制御プログラムを実行することで、記憶手段からドットサイズを取得する取得機能と、取得されたドットサイズに基づいて、ドットパターンが配置される帳票を印刷する印刷データを生成する生成機能を実現する。
【０１１８】
また、データ処理装置のＣＰＵが制御プログラムを実行することで、以下の補正処理を行う。つまり、生成された印刷データに基づいて印刷された帳票中のドットパターンを電子ペンが読み取って認識されるドット情報に基づいて、記憶手段に記憶されているドットサイズを補正する補正機能を備える。
【０１１９】
〔態様例２〕
電子ペン１０から取得される情報を通信により取得して処理可能なデータ処理装置は、以下の構成を備える。なお、データ処理装置は、電子ペン１０と通信可能な通信機能と、通常のデータ処理を行うハードウエアと、ソフトウエア資源を備える。ここで、ハードウエア資源は、ＣＰＵ、ＲＯＭ、ＲＡＭを含む制御ユニット、入出力デバイスとしてのキーボード、ポインティングデバイス、表示装置を含む。また、ソフトウエア資源としては、ＯＳ、デバイスドライバ、各種のアプリケーションプログラムを含む。
【０１２０】
電子ペン１０が可読できるドットサイズを記憶する、例えばハードディスク等の記憶手段を備える。そして、データ処理装置のＣＰＵが制御プログラムを実行することで、記憶手段からドットサイズを取得する取得機能と、取得されたドットサイズに基づいて、ドットパターンが配置される帳票を印刷する印刷データを生成する生成機能を実現する。
【０１２１】
また、データ処理装置のＣＰＵが制御プログラムを実行することで、生成された印刷データに基づいて印刷装置が帳票を印刷しり場合、前記印刷装置が読み取る印刷される帳票中のドットサイズの情報を前記印刷装置から取得する取得機能を備える。
【０１２２】
さらに、データ処理装置のＣＰＵが制御プログラムを実行することで、印刷装置から取得されるドット情報に基づいて、前記記憶手段に記憶されているドットサイズを補正する補正機能を備える。
【０１２３】
ここで、電子ペン１０は、第１実施形態と同様に、ドットパターンが印刷された記録媒体上に筆記される情報を印字するインクペンユニットと、前記筆記に伴い前記ドットパターンを読み取る読取りユニットとを備える。
【０１２４】
また、記憶手段は、複数の電子ペンの識別情報別に対応付けられたドットサイズをそれぞれ記憶可能に構成されている。
【０１２５】
さらに、データ処理装置のＣＰＵが制御プログラムを実行することで、複数のドットサイズから印刷すべきドットサイズを選定して前記印刷データを生成可能に構成されている。
【０１２６】
また、データ処理装置のＣＰＵが制御プログラムを実行することで、印刷データを印刷する印刷装置が使用する印刷材の飛散特性に基づいて、前記記憶手段に記憶されているドットサイズを補正可能に構成されている。
【０１２７】
〔システム態様例１〕
本システムは、第１実施形態で構成される電子カルテ帳票システム１０５を第１のデータ処理装置として構成し、電子カルテ帳票システム１０６と座標サービスサーバ１０３との機能を実行する第２のデータ処理装置とが通信するシステム例である。
【０１２８】
具体的には、電子ペン１０から取得される情報を通信により取得して処理可能な第１のデータ処理装置と、電子ペンが読み取る帳票を印刷する印刷データを印刷装置に出力する第２のデータ処理装置とが通信してデータ処理を行うデータ処理システムである。なお、データ処理装置は、電子ペン１０と通信可能な通信機能と、通常のデータ処理を行うハードウエアと、ソフトウエア資源を備える。ここで、ハードウエア資源は、ＣＰＵ、ＲＯＭ、ＲＡＭを含む制御ユニット、入出力デバイスとしてのキーボード、ポインティングデバイス、表示装置を含む。また、ソフトウエア資源としては、ＯＳ、デバイスドライバ、各種のアプリケーションプログラムを含む。
【０１２９】
そして、第２のデータ処理装置は電子ペン１０が可読できるドットサイズを記憶部に記憶する記憶機能と、記憶部からドットサイズを取得する取得機能を備える。また、第２のデータ処理装置は取得されたドットサイズに基づいて、ドットパターンが配置される帳票を印刷する印刷データを生成する生成機能を備える。さらに、生成機能により生成された印刷データに基づいて印刷された帳票中のドットパターンを前記電子ペンが読み取って認識されるドット情報を電子カルテ帳票システム１０５から受信する受信機能を備える。
【０１３０】
さらに、電子カルテ帳票システム１０５から受信するドット情報に基づいて、前記記憶手段に記憶されているドットサイズを補正する補正機能を備える。
【０１３１】
〔システム態様例２〕
本システムは、第１実施形態で構成される電子カルテ帳票システム１０５を第１のデータ処理装置として構成し、電子カルテ帳票システム１０６と座標サービスサーバ１０３との機能を実行する第２のデータ処理装置とが通信するシステム例である。
【０１３２】
そして、第２のデータ処理装置は、第２のデータ処理装置は電子ペン１０が可読できるドットサイズを記憶部に記憶する記憶機能と、記憶部からドットサイズを取得する取得機能を備える。また、第２のデータ処理装置は取得されたドットサイズに基づいて、ドットパターンが配置される帳票を印刷する印刷データを生成する生成機能を備える。
【０１３３】
また、第２のデータ処理装置は、生成された印刷データに基づいて印刷装置が帳票を印刷する場合、プリンタ１０７が読み取る印刷される帳票中のドットサイズの情報を前記印刷装置から取得する第２の取得機能を備える。また、取得されるドット情報に基づいて、記憶部に記憶されているドットサイズを補正する補正機能を備える。
【０１３４】
〔第４実施形態〕
以下、図１１に示すメモリマップを参照して本発明に係るデータ処理装置で読み取り可能なデータ処理プログラムの構成について説明する。
【０１３５】
図１１は、本発明に係るデータ処理装置で読み取り可能な各種データ処理プログラムを格納する記憶媒体のメモリマップを説明する図である。
【０１３６】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１３７】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１３８】
本実施形態における図７、図９、図１０に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１３９】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１４０】
この場合、記憶媒体から読み出されたプログラムコード自体が本発明の新規な機能を実現することになり、そのプログラムコードを記憶した記憶媒体は本発明を構成することになる。
【０１４１】
従って、プログラムの機能を有していれば、オブジェクトコード、インタプリタにより実行されるプログラム、ＯＳに供給するスクリプトデータ等、プログラムの形態を問わない。
【０１４２】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１４３】
この場合、記憶媒体から読出されたプログラムコード自体が前述した実施形態の機能を実現することになり、そのプログラムコードを記憶した記憶媒体は本発明を構成することになる。
【０１４４】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１４５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１４６】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１４７】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４８】
本発明は上記実施形態に限定されるものではなく、本発明の趣旨に基づき種々の変形（各実施形態の有機的な組合せを含む）が可能であり、それらを本発明の範囲から排除するものではない。
【０１４９】
本発明の様々な例と実施形態を示して説明したが、当業者であれば、本発明の趣旨と範囲は、本明細書内の特定の説明に限定されるのではない。
【図面の簡単な説明】
【０１５０】
【図１】本発明の第１実施形態を示す電子ペンの使用形態を模式的に示す電子カルテ情報システムの一例を説明する図である。
【図２】図１に示した電子ペンの構造を示す機能ブロック図である。
【図３】図１に示したカルテに印刷されたドットパターンによる情報の表現方法を説明する図である。
【図４】図３に示したドットパターン及びそれに対応する情報の一例を示す図である。
【図５】図１に示した座標サービスサーバが管理するテーブルの一例を示す図である。
【図６】図１に示した帳票を印刷したときのドットを拡大した図である。
【図７】本実施形態の第１のデータ処理装置における第１のデータ処理手順の一例を示すフローチャートである。
【図８】図１に示した帳票に電子ペンを使い医療行為の情報を電子的に入力する帳票の概観を示す図である。
【図９】本実施形態の第２のデータ処理装置における第２のデータ処理手順の一例を示すフローチャートである。
【図１０】本実施形態の第３のデータ処理装置における第３のデータ処理手順の一例を示すフローチャートである。
【図１１】本発明に係るデータ処理装置で読み取り可能な各種データ処理プログラムを格納する記憶媒体のメモリマップを説明する図である。
【符号の説明】
【０１５１】
１０  電子ペン
２０  カルテ
１０３  座標サービスサーバ
１０５，１０６  電子カルテ帳票システム
１０７  プリンタ
１０８  データベース
【図１】
2007279961.tif 000003
【図２】
2007279961.tif 000004
【図３】
2007279961.tif 000005
【図４】
2007279961.tif 000006
【図５】
2007279961.tif 000007
【図６】
2007279961.tif 000008
【図７】
2007279961.tif 000009
【図８】
2007279961.tif 000010
【図９】
2007279961.tif 000011
【図１０】
2007279961.tif 000012
【図１１】
2007279961.tif 000013